(57)【要約】  身体に面する表面及び横断方向中心線を有する吸収性物品は、親水性トップシート（１２）、トップシート（１２）に結合されたバックシート（１４）、トップシート（１２）とバックシート（１４）との間に配設された吸収性コア（１６）、及び一対の側方トップシート（１８）を含む。それぞれ側方トップシート（１８）は、吸収性物品の身体に面する表面のそれぞれの長手側上に付着し、その結果、少なくともその一部は、トップシート（１２）の一部を覆っており、トップシート（１２）は吸収性コア（１６）を覆う。側方トップシート（１８）は、埋設ゾーン（６）を有し、埋設ゾーン（６）は、吸収性物品の長手方向に延在している領域であって、複数の圧縮領域（５，５ａ）を有する。側方トップシート（１８）及びトップシート（１２）は、圧縮領域（５、５ａ）で共に圧縮され、その結果、側方トップシート（１８）はトップシート（１２）に埋設される。圧縮領域（５、５ａ）でトップシート（１２）に埋設される側方トップシート（１８）は、１つの層である。
2015535470.tif 000002
【特許請求の範囲】
【請求項１】
身体に面する表面及び横断方向中心線を有する吸収性物品であって、
親水性トップシートと、
前記トップシートに結合されたバックシートと、
前記トップシートと前記バックシートとの間に配設された吸収性コアと、
当該吸収性物品の前記身体に面する表面のそれぞれの長手側上にあり、少なくともその一部が、前記吸収性コアを覆っている前記トップシートを覆うような側方トップシートと、を含み、
前記側方トップシートは、当該吸収性物品の長手方向に沿って埋設ゾーンを有し、
当該埋設ゾーンは、前記側方トップシートが前記トップシートに埋設されるように、前記側方トップシート及び前記トップシートが共に圧縮される複数の圧縮領域を有し、
前記圧縮領域中の前記側方トップシートは、１つの層である、吸収性物品。
【請求項２】
身体に面する表面及び横断方向中心線を有する吸収性物品であって、
親水性トップシートと、
当該吸収性物品の前記身体に面する表面のそれぞれ長手側上にあり、少なくともその一部が前記トップシートを覆うような側方トップシートと、
前記トップシートに結合されたバックシートと、
前記トップシートと前記バックシートとの間に配設された吸収性コアと、
当該吸収性物品の前記身体に面する表面のそれぞれの長手側上にあり、少なくともその一部が、前記吸収性コアを覆っている前記トップシートを覆うような側方トップシートと、を含み、
前記側方トップシートは、当該吸収性物品の長手方向に沿って埋設ゾーンを有し、
当該埋設ゾーンは、前記側方トップシートが前記トップシートに埋設されるように、前記側方トップシート、前記トップシート及び前記吸収性コアの少なくとも一部が共に圧縮される複数の圧縮領域を有し、
前記圧縮領域中の前記側方トップシートは、１つの層である、吸収性物品。
【請求項３】
前記側方トップシートは、疎水性である、請求項１に記載の吸収性物品。
【請求項４】
前記側方トップシートは、疎水性不織布シートである、請求項３に記載の吸収性物品。
【請求項５】
前記埋設ゾーンは、前記長手方向に実質的に連続する複数の圧縮領域を有する、請求項１に記載の吸収性物品。
【請求項６】
前記埋設ゾーンは、前記長手方向に、当該吸収性物品の長手全長に対して約５０％又はそれ以上の長さ割合を有する長さを有し、当該吸収性物品の前記横断方向中心線を交差するように位置している、請求項１に記載の吸収性物品。
【請求項７】
前記側方トップシートは、約２ｍｍ未満の張出部を有する、請求項１に記載の吸収性物品。
【請求項８】
前記張出部は、約１ｍｍ未満である、請求項７に記載の吸収性物品。
【請求項９】
前記埋設ゾーン間の距離が少なくとも約３０ｍｍである、請求項１に記載の吸収性物品。
【請求項１０】
前記埋設ゾーン間の距離が少なくとも約５０ｍｍである、請求項９に記載の吸収性物品。
【請求項１１】
前記埋設ゾーンは、約２ｍｍ〜約３０ｍｍの範囲の幅を有する、請求項１に記載の吸収性物品。
【請求項１２】
前記埋設ゾーンは、約５ｍｍ〜約２０ｍｍの範囲の幅を有する、請求項１１に記載の吸収性物品。
【請求項１３】
前記埋設ゾーンの幅は、前記長手方向に一定である、請求項１１に記載の吸収性物品。
【請求項１４】
前記埋設ゾーンの幅は、前記長手方向に一定でない、請求項１１に記載の吸収性物品。
【請求項１５】
前記埋設ゾーンは、その外側縁部で、前記吸収性コアの外側縁部まで延在している、請求項１に記載の吸収性物品。
【請求項１６】
前記埋設ゾーンは、その外側縁部で、前記吸収性コアの外側縁部から外向きに延在している、請求項１に記載の吸収性物品。
【請求項１７】
前記埋設ゾーンは、前記埋設ゾーンの全面積で約５０％を超える前記圧縮領域を有する、請求項１に記載の吸収性物品。
【請求項１８】
前記埋設ゾーンは、前記埋設ゾーンの全面積で約６０％を超える前記圧縮領域を有する、請求項１７に記載の吸収性物品。
【発明の詳細な説明】
【技術分野】
【０００１】
本発明は、外用の吸収性物品に関する。より具体的には、本発明は、物品の身体に面する表面の側面のそれぞれに埋設ゾーンを有する吸収性物品に関する。
【背景技術】
【０００２】
生理用ナプキンなどの吸収性物品は、女性が月経周期の間、膣からの血液排出を受け取り収容するために使用される。これらの物品はまた、月経のような体液の採取に加えて、着用者の下着が体液で汚れるのを防ぐことが期待される。
【０００３】
吸収性物品は、通常、着用者の股部と下着との間に置かれるため、着用者の動作により容易に変形されることがあり、しばしば、吸収性物品の横方向に対向する縁部に向かって体液の漏れを生じる。横漏れの心配を解決するための１つのアプローチは、吸収性物品に、サイドシート、特に疎水性サイドシートを、吸収性物品の吸収性本体の側縁部に供給することである。サイドシートは、熱シール及び熱エンボス加工などの接着方法などにより、トップシート及び／又はバックシートに接着されている。特開２００９−１１６８６号公報には、トップシートから間隔をあけていることもある折り返し内端の付いた疎水性サイドシートを有する吸収性物品が開示される。これらの物品は、トップシートから間隔をあけていてもよい折り返し内端の付いたサイドシートを有することにより、多量の流体が、吸収性物品の中央部分でトップシートの幅に広がるときに、トップシートから分離されたサイドシートに経血のような流体が滲むのを防ぐことを意図する。上記文献に記載される吸収性物品は、吸収性物品のトップシートに達する体液が、横方向に漏れるのを効果的に防止するが、体液がサイドシートの上に置かれるときに、折り返され、トップシートから分離された疎水性サイドシートは、製品に流体が流れるのを効果的に防ぐことができず、液漏れとなるのを防止できないという未解決の問題が依然としてある。
【先行技術文献】
【特許文献】
【０００４】
【特許文献１】特開２００９−１１６８６号
【発明の概要】
【発明が解決しようとする課題】
【０００５】
したがって、吸収性物品に、より有効な横漏れ防止を提供する必要がある。
【課題を解決するための手段】
【０００６】
本発明は吸収性物品を提供し、親水性トップシートと、トップシートに結合されたバックシートと、トップシートとバックシートとの間に配設された吸収性コアと、吸収性物品の身体に面する表面のそれぞれの長手側上にあり、少なくともその一部が、吸収性コアを覆っているトップシートを覆うような側方トップシートと、を含み、側方トップシートは、吸収性物品の長手方向に沿って埋設ゾーンを有し、埋設ゾーンは、側方トップシートがトップシートに埋設されるように、側方トップシート及びトップシートが共に圧縮される複数の圧縮領域を有し、圧縮領域中の側方トップシートは１つの層である。
【０００７】
本発明はまた吸収性物品を提供し、親水性トップシートと、バックシートと、トップシートとバックシートとの間に配設された吸収性コアと、吸収性物品の身体に面する表面のそれぞれの長手側上にあり、少なくともその一部が、吸収性コアを覆っているトップシートを覆うような側方トップシートと、を含み、側方トップシートは、吸収性物品の長手方向に沿って埋設ゾーンを有し、埋設ゾーンは、側方トップシートがトップシートに埋設されるように、側方トップシート、トップシート及び吸収性コアの少なくとも一部が共に圧縮される複数の圧縮領域を有し、圧縮領域中の側方トップシートは１つの層である。
【０００８】
本発明のこれら及び他の特徴、態様、及び利点は、本発明の開示を読むことによって当業者に明白となろう。
【図面の簡単な説明】
【０００９】
【図１】本発明に係る例示的な吸収性物品の上面図である。
【図２（ａ）】図１に係る物品の線Ｈに沿う断面図の模式図である。
【図２（ｂ）】本発明に係る物品のエンボス加工深度の改良された例の断面図の模式図である。
【図３】本発明に係る例示的な吸収性物品の上面図である。
【図４】本発明に係る例示的な吸収性物品の上面図である。
【発明を実施するための形態】
【００１０】
全ての範囲は、包含的であり、組み合わせ可能である。有効桁数は、指示される量に対しても、測定値の精度に対しても、限定を伝えるものではない。
【００１１】
本明細書で使用するとき、「吸収性物品」という用語は、使い捨ておむつ、生理用ナプキン、パンティライナー、失禁用パッド、陰唇間パッド、母乳パッド、汗取りシート、動物用糞尿処理物品、動物用おむつなどが挙げられる。
【００１２】
用語「身体に面する表面」は、吸収性物品の、使用する際にユーザーの身体に面する側を指す。用語「衣類に面する表面」は、物品の反対面を指す。
【００１３】
本明細書で使用するとき、用語「体液」又は「流体」としては、経血、おりもの、血液、汗、及びこれらの物質の組み合わせが挙げられるが、これらに限定されない。
【００１４】
本明細書で使用するとき、用語「長手中心線」は、吸収性物品の長手側縁部間の中央にある想像上の線を指し、立っている着用者を左半身と右半身に二分割する垂直面と概ね整列して、図面上に線Ｃで表される。物品の長さＬは、長手方向で物品の最長の長さを示す。
【００１５】
本明細書で使用するとき、用語「横断方向中心線」は、吸収性物品の横断側縁部間の中央にある想像上の線Ｔを指し、長手中心線に垂直である。
【００１６】
本明細書で使用するとき、用語「内側」は、吸収性物品１０の幅方向の中央部分を意味する。同様に、「外側」は、吸収性物品の側縁部側を意味する。
【００１７】
図１は、本発明に係る例示的な吸収性物品１０の身体に面する表面を示す。吸収性物品１０の身体に面する表面は、親水性トップシート１２、埋設ゾーン６を有する側方トップシート１８を示し、埋設ゾーン６はそれぞれの側方トップシート上に圧縮領域５，５ａを有している。図２（ａ）及び図２（ｂ）は、本発明に係る例示的な吸収性物品の断面図の模式図であり、親水性トップシート１２、側方トップシート１８、圧縮領域５、５ａ、及び吸収性コア１６及びバックシート１４を示している。図３及び図４は、本発明に係る例示的な吸収性物品の身体に面する表面を示す。本発明は、図１〜４に示した形状に限定されないことに留意する。
【００１８】
吸収性物品１０
図１、図２（ａ）及び（ｂ）に示すように、本発明の吸収性物品は、標準的に、トップシート１２、バックシート１４、トップシート１２とバックシート１４との間に配設された吸収性コア１６、及び吸収性物品のそれぞれ長手側上でトップシート１２の上に埋設ゾーン６を有する側方トップシート１８を有する。トップシート１２及び側方トップシート１８は、部分的に、又は完全に、物品の身体に面する表面を形成し、一方では、トップシート及び／又は側方トップシートに結合されたバックシートは、衣類に面する表面を形成する。トップシート１２は、吸収性コア１６の上部側全体を覆い、吸収性コア１６の長手側から横方向外側にわずかに延在している。またそれは、吸収性コア１６の前端及び後端から外向きに延在し、拡張部でバックシート１４と結合する。側方トップシート１８は、側方トップシートがトップシート１２の一部を覆うように、吸収性コア１６の両側部分を覆うために付着し、吸収性物品の側面を覆うため、バックシート１４に結合するよう外向きに延在している。
【００１９】
物品の性能を改良するために、二次トップシート、及び／又は二次バックシートなどの更なる要素が使用され、示されてもよい。物品は、また剥離紙を有してもよい。
【００２０】
親水性トップシート１２
本発明の吸収性物品は、親水性不織布トップシート１２を有する。親水性不織布シート１２は、体液を受け止めて、迅速に吸収性物品の内部に体液を浸透させることができる。
【００２１】
本明細書で使用するとき、「親水性」という用語とは、これらの繊維上に沈着した水性流体（例えば、水性体液）によって濡らされることができる繊維、繊維の表面、又は材料の表面のことである。親水性及び湿潤性は、典型的には、接触角度及び例えば不織布布地を通過する流体のストライクスルー時間に関して定義される。これは、「Ｃｏｎｔａｃｔ  Ａｎｇｌｅ，Ｗｅｔｔａｂｉｌｉｔｙ  ａｎｄ  Ａｄｈｅｓｉｏｎ」という表題のＡｍｅｒｉｃａｎ  Ｃｈｅｍｉｃａｌ  Ｓｏｃｉｅｔｙの出版物（Ｒｏｂｅｒｔ  Ｆ．Ｇｏｕｌｄ編、著作権１９６４）に詳述されている。繊維または繊維の表面は、流体と繊維との間、又は流体と繊維の表面との間の接触角度が９０°未満のときに、あるいは流体が繊維の表面全体に自然に広がる傾向にあるときに、流体（１．．，親水性）によって濡らされると言われており、両方の状態は、通常共存している。逆に、接触角が９０°より大きい場合及び流体が繊維の表面全体に自然に広がらない場合は、繊維又は繊維の表面は疎水性とみなされる。
【００２２】
本明細書で使用するとき、「不織布」とは、摩擦及び／又は粘着及び／又は接着により結合させた、指向的に又はランダムに配向された繊維から作られたシート、ウェブ、又は打延べ綿シートを指し、紙、及び更なるニードル加工の有無を問わず、結束糸若しくはフィラメントを組み込んだ織り製品、編み製品、タフテッド製品、ステッチ結合製品、又は湿式粉砕によるフェルト製品は含まない。繊維は天然起源のものであっても人工起源のものであってもよく、ステープル又は連続フィラメントであっても、若しくはその場で形成されてもよい。市販の繊維は、約０．００１ｍｍ未満から約０．２ｍｍ超の範囲の直径を有し、短繊維（ステープル繊維または細断繊維として知られる）、連続単繊維（フィラメントまたはモノフィラメント）、連続フィラメントの撚っていない束（麻くず）、及び連続フィラメントの撚り束（編み糸）などのいくつかの異なる形態によって提供される。不織布は、メルトブロー、スパンボンド、溶剤紡糸、電界紡糸、及びカーディングなど、多くの方法により形成できる。不織布布地の目付は、グラム毎平方メートル（ｇｓｍ）で通常表される。
【００２３】
親水性不織布は、繊維親水性をレンダリングする、親水剤などの処理剤で処理された親水性繊維から作製できる。あるいは、又は更に、親水性不織布は、（不織布形成の後で）不織布を親水剤で処理することにより調製され得る。親水剤は、例えば界面活性剤を含むか、又は界面活性剤であってもよい。界面活性剤での不織布の処理は、当業者によく知られた一般技法のいずれかで実施され得る。例えば、界面活性剤は、不織布のトップシートに、スプレー、パディング、若しくは転写ローラーの使用により適用されることができる。
【００２４】
トップシートは、着用者の身体に接触して、体内排出物を受ける物品の層である。トップシートは、液体透過性であり、柔軟性であって、皮膚に非刺激性であってもよい。「液体透過性」という用語は、本明細書で使用するとき、液体の透過を著しく遅延させるか又は妨げることなく液体を通過させる部材を指す。本明細書で使用するとき、「柔軟性」という用語は、従順であって、身体形状に容易に適応し、若しくは外部の力の存在下で容易に変形することで対応する材料を指す。部材は、そのような部材が液体を透過するのみならず、部材上に付着する液体の一部分を保持できる場合に、吸収剤とみなされる。任意の従来の親水性不織布トップシート材料が本発明において使用されてよい。
【００２５】
トップシートは、その上に付着した液体をコアへと通過させるために、複数の孔を有していてもよい。約５〜約５０パーセントの開口面積を有し、典型的には約２５パーセントの開口面積、そして、孔開け前に約０．０１〜約０．０３ミリメートル、孔開け後に約０．４２〜約０．５１ミリメートルの厚さを有する有孔ポリオレフィンフィルムのトップシートが通例である。
【００２６】
トップシートは、約１０ｇｓｍ〜約１００ｇｓｍ、好ましくは約３０ｇｓｍ〜約８０ｇｍｓの目付を有することができ、吸収性物品の内部への迅速な液体透過を可能とする。
【００２７】
吸収性コア１６
本発明の物品は、トップシート１２とバックシート１４との間に配設された吸収性コア１６を有する。本明細書で使用するとき、「吸収性コア」という用語は、尿、血液、月経分泌物、及び他の身体排出物などを吸収、分配、及び収容するのに好適な材料又は材料の組み合わせを指す。
【００２８】
吸収性コアの寸法及び形状は、吸収能力要件に適合するように、及び、着用者に快適性を提供するように変更することができる。本発明の物品の他の要素と同様に、吸収性コアのための特別な要件はなく、吸収性物品での使用として当該技術分野で既知の任意の標準液体吸収性材料が、通常好適となるであろう。
【００２９】
吸収性コアとしての使用に好適な液体吸収性材料の非限定的な例には、一般にエアフェルトと呼ばれる粉砕された木材パルプ、縮みセルロース詰め物（creped cellulose wadding）、ヒドロゲル形成高分子ゲル化剤などの超吸収性ポリマーを含む吸収性ゲル材料、化学的に剛化、改質、若しくは架橋されたセルロース繊維、コフォームを含むメルトブローポリマー、捲縮ポリエステル繊維を含む合成繊維、ティッシュラップ及びティッシュラミネートを含むティッシュ、毛管路繊維、吸収性フォーム、吸収性スポンジ、合成ステープル繊維、ピートモス、又は任意の同等の材料、あるいはそれらの組み合わせが挙げられる。コアは、物品自体のように、一般に平坦とすることができ、すなわち厚さに著しい変化を有することがない。
【００３０】
典型的に吸収性コアは、製造の容易さのため長方形である。しかしながら、コアは、異なる形状であってもよく、例えば、脚に快適に適応し、コアのバッチング又はワディングの発生を除去又は最小とするために、両端よりも中央が幅狭くなる吸収性コアを着用者が好むことがよくある。楕円形コアも提案されている（例えば国際公開第２００５／０８４５９６号）。更に吸収性コアに関する一般的及び特定情報は、例えば国際公開第０２０７６６２Ａ１号及び国際公開第０９１１９４７１号に見出すことができる。
【００３１】
バックシート１４
本発明の物品は、バックシート１４を有する。バックシート１４は、任意の柔軟性、耐水性、及び液体不透過性材料であってもよい。バックシートは、生理用ナプキンによって集められ収容された排出物、及び特にコアによって吸収された排出物が、生理用ナプキンから漏れ出て、着用者の衣類及び寝具類を汚すのを防止する。好ましくは、バックシートは、着用者に上品さをもたらすため、派手ではない。実施によっては、二次バックシート（後述）は、例えば液体不浸透性を提供するなど、バックシートを支援するために、コアとバックシートとの間に置かれてもよい。
【００３２】
ポリオレフィンフィルムなど、任意の従来のバックシート材料を本発明において使用することが可能である。バックシートは、吸収された身体排泄物によって発生する悪臭ガスに対して不透過性となることができ、その結果、悪臭が漏れることはない。バックシートは、通気性があってもなくてもよい。厚さが約０．０１ミリメートル〜約０．０８ミリメートル、好ましくは厚さが約０．０５ミリメートルの低密度ポリエチレンのバックシートが通例である。また、インディアナ州テレホート（Terre Haute）のトレデガー社（Tredegar Corporation）によってモデルＸ−８１３として販売されているようなポリエチレンフィルムが使用されてもよい。更に、バックシートは、トップシートと比べて疎水性のある、柔らかい布に似た材料、例えばポリエステル又はポリオレフィンファイバーのバックシートから形成されてもよい。
【００３３】
トップシート及びバックシートは、生理用物品の全周囲が結合で取り囲まれるように全体的に、あるいは周囲で部分的に周辺的に結合されるように、既知の技法を用いて優先的に周辺で結合される。用語「結合された」とは、第１の部材が直接的又は間接的のいずれかで第２の部材に貼り付けられているか、又は接続されている状態を指す。第１の部材が中間部材に貼り付けられているか、又は接続され、この中間部材が第２の部材に貼り付けられているか、又は接続されている場合、第１の部材及び第２の部材は間接的に結合されている。第１の部材と第２の部材との間の結合状態は、生理用ナプキンの耐用期間、維持するよう意図される。逆に、部材は、どちらかが崩壊又は予想外の著しい変形を伴うことなく、互いに外され、分離されることが可能な場合、「取り外し可能な貼り付け」と考えられる。
【００３４】
任意の結合配置は、トップシートとバックシートとの間にコアを捕捉するためにもたらされ、単一アセンブリが好適となる。そのようなアセンブリは、２つの互いに向かい合う主面を有し、トップシートで定義される主面、及びバックシートで定義される主面を有する。
【００３５】
バックシートの外側に向けられる（衣類に面する）面は、生理用ナプキンを着用者の下着に取り付けるための手段を更に有してもよい。感圧性接着剤が、この目的に対して十分に機能することが一般に見出されてきた。好ましくは、長手方向に向けられた接着剤のストリップは、生理用ナプキンの前面又は後面のいずれかが着用者の下着から外れるのを良好に防止することをもたらす。接着剤のストリップは、連続的であっても断続的であってもよい。特に好ましい配置は、長手中心線のそれぞれ側面に１つずつある、２つの長手方向に向けられたストリップを利用する。
【００３６】
バックシートは、典型的には吸収性構造全体にわたって延在し、存在するときに、サイドフラップ、サイドラッピング要素又はウィングの一部又は全体の中まで延在してこれらを形成できる。
【００３７】
側方トップシート１８
本発明の吸収性物品は、主として流体の横漏れ防止を改良するため、一対の不織布側方トップシート１８を有する。
【００３８】
側方トップシート１８は、例えば、カード式サーマルボンド、スパンボンド、水流交絡、メルトブローンなど、全ての従来型の不織布から作製でき、ポリプロピレン、ポリエチレン、ポリエステル、レーヨン、綿など、全ての範囲の好適な合成又は天然繊維を用いて、混合形状又はモノコンポーネント、バイコンポーネント繊維の形状に作製できる。例えば、ペガス株式会社（Pegas a.s）（チェコ共和国）は、コアとしてポリプロピレン（ＰＰ）及びシースとしてポリエチレン（ＰＥ）を、７０％のＰＰコアと３０％のＰＥシースのポリマー比率で作製したバイコンポーネント繊維に基づく好適な不織布を供給する。
【００３９】
側方トップシート１８は、撥水性を有する材料、つまり疎水性材料で作製されるのが好ましい場合があり、物品の身体に面する表面の横漏れ又は再湿潤の防止に役立つ。側方トップシート用に好適な疎水性材料の例は、疎水性不織布、及び前述の合成高分子材料、特にポリエチレン、ポリプロピレン及びそれらの混合物が挙げられる。
【００４０】
側方トップシート１８は、実質上、吸収性物品１０の長手側の全長に沿って延在している、２つの平行するストリップの形状をとることができる。この場合には、典型的に、側方トップシートの外側縁部は、物品の長手側に周辺部で連続する。側方トップシートの内側縁部は、線状となるか、若しくは他の形状を有することができる。図１に示すように、側方トップシートは、バックシート１４の部分を有してサイドフラップＦを形成するために、横断方向へ外向きに突出してもよい。
【００４１】
埋設ゾーン６
図１に示すように、本発明の吸収性物品は、物品の長手方向に沿って、側方トップシート１８のそれぞれに埋設ゾーン６を有する。埋設ゾーン６は、吸収性物品の長手方向に延在している領域であり、複数の圧縮領域５、５ａを有する。
【００４２】
図２（ａ）に示すように、埋設ゾーン６は、側方トップシート１８及びトップシート１２が共に圧縮される圧縮領域５、５ａを有し、その結果、側方トップシートの少なくとも一部がトップシートに埋設される。本発明の一実施形態では、図２（ｂ）に示すように、埋設ゾーン６は、側方トップシート１８及びトップシート１２と共に吸収性コア１６も少なくとも部分的にエンボス加工される圧縮領域を有することができる。圧縮領域５、５ａでは、トップシート内に埋設される側方トップシートは、単一層である。側方トップシートが親水性トップシート内に埋設されている複数の圧縮領域を有する埋設ゾーン６では、埋設構造が親水性トップシートにより更なる流体の吸引をもたらすために、側方シートの上部の流体が、吸収性物品の内部に効果的に獲得されることができ、吸収性物品の内部に流体を効果的に向けることができる。加えて、吸収性コアの側縁部を越える流体の側方拡散も、圧縮領域及び側方トップシートの存在によって効果的に防止される。本発明にしたがう吸収性物品の流体漏れ防止は、疎水性側方トップシートを用いることにより機能強化される場合がある。
【００４３】
埋設ゾーン６は、線状となるよう形成されてもよい。図１に示すように、埋設ゾーン６の幅Ａは、２つの圧縮領域の間の横断方向で、最も長い距離となる。埋設ゾーン６の幅Ａは、長手方向に沿って一定でもよく、若しくは一定でなくてもよい。例えば、横断方向中心線Ｔに相対的に近いある地点での埋設ゾーン６の幅Ａは、前端または後端に相対的に近い他の地点での埋設ゾーン６の幅Ａよりも大きくなってもよい。埋設ゾーンの幅は、約２ｍｍ〜約３０ｍｍ、好ましくは約５ｍｍ〜約２０ｍｍの範囲であることができる。埋設ゾーン６の間の距離Ｂは、約３０ｍｍ〜約８０ｍｍ、好ましくは約５０ｍｍ〜約７０ｍｍの範囲であることができる。
【００４４】
側方トップシート１８の埋設ゾーン６は、長手方向に、物品の長さＬに対して約５０％又はそれ以上の長さ割合をもつ長さを有し、横断方向中心線Ｔと交差する。一実施形態では、埋設ゾーン６は、吸収性物品の前端縁部及び後端縁部の少なくとも一方に延在してもよい。埋設ゾーン６が、吸収性物品の前端縁部及び後端縁部に延在しているときに、側方トップシート１８及び上部トップシート１２に十分な接着強度を提供することにより、接着剤など他の接着手段を用いることなく、側方トップシート１８及びトップシート１０を接着することができる。
【００４５】
埋設ゾーン６は、好ましくは、埋設ゾーン６の全面積で約５０％、更に好ましくは６０％の圧縮領域５、５ａを有する。
【００４６】
本発明の一実施形態では、埋設ゾーン６に形成された圧縮領域５、５ａは、長手方向に実質上連続的に配置されてもよい。本発明の別の実施形態では、埋設ゾーン６に形成された圧縮領域５、５ａは、横断方向に実質上連続的に配置されてもよい。「長手方向に実質上連続的（連続的に）」という用語は、本明細書で使用するとき、次の通り定義される。吸収性物品の上面図で、長手方向に垂直である想像上の直線を、長手方向に動かす。線が、埋設ゾーン６の長さＧの８０％、好ましくは９０％、更に好ましくは１００％の長さにわたって、圧縮領域５、５ａと交差するときに、圧縮領域は、「長手方向に実質上連続的（連続的に）」であると考えられる。同様に、本明細書で使用するとき、「横断方向に実質上連続的（連続的に）」という用語は、次の通りである。吸収性物品の上面図で、横断方向に垂直である想像上の直線を、横断方向に動かす。線が、埋設ゾーン６の幅Ａの７０％、好ましくは９０％、更に好ましくは１００％の長さにわたって、圧縮領域５、５ａと交差するときに、圧縮領域は、「横断方向に実質上連続的（連続的に）」であると考えられる。
【００４７】
以下、図１に示すように、「張出部」は、側方トップシート１８の内側縁部と、内側縁部に最も近い圧縮領域である圧縮領域５ａとの間の距離Ｅを意味する。張出部は、好ましくは約２ｍｍ未満であり、更に好ましくは約１ｍｍ未満であり、更に好ましくは実質上ゼロとなる。
【００４８】
埋設ゾーン６の外側縁部は、吸収性コア１６の側縁部まで横断方向に延在してもよい。好ましくは、埋設ゾーン６の外側縁部は、吸収性コア１６の側縁部から外向きに延在することができる。
【００４９】
埋設ゾーン６は、円形、楕円形、ハート形、三角形、正方形、長方形、線状及び不規則な形状などの、多様な形状の少なくとも１つを有することができる。それぞれ圧縮領域の寸法は、約２ｍｍ〜約１０ｍｍ、好ましくは約２ｍｍ〜約５ｍｍの大きさを有することができる。点の間の距離は、約５ｍｍよりも狭く、好ましくは２ｍｍよりも狭くてよい。点は、直線又は形のある線に規則的に配置することができ、若しくはランダムに配置され得る。
【００５０】
エンボス加工は、熱接着、超音波接着、及び／又は加圧などの標準的な技法で達成することができる。好適なプロセスの一例が熱接着であり、熱接着において、シートは、一方は視覚的パターンで彫刻され、もう一方は平坦である２つのスチールロールを通過する。特定の実施形態において、ロールの一方または両方は、１つまたは複数のシートを少なくとも部分的に溶かし、若しくは１つまたは複数のシート層を軟化するのに好適な温度、典型的には約６０℃〜約１７０℃の範囲に温められる。
【００５１】
エンボスロールは、大部分のエンボスパターンに対して機械加工などの通常の技法を使用して彫刻されてもよいが、より微細な彫刻を、したがって、より微細なエンボスパターンを施すためには、酸エッチング又はレーザー彫刻を使用することが好ましい場合もある。エンボスパターンは、国際公開第２００４／００６８１８号など、当該技術分野において既に開示されているエンボス加工された溝よりもはるかに薄い、比較的薄いエンボス形体を有することが望ましい場合もある。薄いエンボス形体は、概して女性らしく繊細な外観を物品に与えることができる。したがって、エンボス加工道具は、約０．７５ｍｍ未満、特に非限定的に約０．３５ｍｍ〜約０．６０ｍｍとの間の解像度（エンボス線の最小限の厚さ）を特に有する、高精細度のエンボス加工が可能であるべきである。同様に、（プリント線の最小限の厚さに対応する）プリントパターンの解像度は、約０．７５ｍｍ未満、特に非限定的に約０．３５ｍｍ〜約０．６０ｍｍとの間とすることができる。
【００５２】
二次トップシート２０
本発明の物品は、トップシート１２と吸収性コア１６との間の二次トップシート層を所望により有していてもよい。
【００５３】
そのような二次層は、織布、不織布材料、有孔の成形熱可塑性フィルム、有孔のプラスチックフィルム、ヒドロフォーム加工された熱可塑性フィルム、多孔質の発泡体、網状の発泡体、網状の熱可塑性フィルム、及び熱可塑性のスクリムなどの高分子材料など、広範囲の材料から製造されることができる。本明細書で先にトップシートに関して述べられた任意の材料は、二次層に使用することができる。好ましい実施形態において、この二次トップシート層は、その全表面上で有孔のトップシートの下にあり、すなわち、二次層はトップシートの周辺部まで延び、その結果、二次層は、トップシートの全内表面上でトップシートの下にある。
【００５４】
二次トップシートの目的は通常、獲得した体液をトップシートから吸収性コアに容易に移送することであり、液体の移送は、二次トップシートの厚さにおいて垂直に生じるだけでなく、吸収性製品の長さ及び幅方向に沿っても生じる。このことは、下層の貯蔵層の流体容量を充分に利用するうえで助けとなる。好ましくはあるものの、二次トップシートの存在は任意である。
【００５５】
二次バックシート
本発明の物品は、吸収性コア１６とバックシート１４との間の二次バックシート層を有していてもよい。二次バックシートの使用は、空気透過性バックシートの存在下で特別に示される。二次バックシートの目的は、空気が製品の中を自在に流れることを可能にする一方で、液体が吸収性コアから製品の外側に移るのを遅延させるか又は防ぐことである。二次バックシートの特別に好適な一例は、毛管現象を生じる孔又は錐体を有する液体不透過性フィルムからなる、弾性の３次元高分子ウェブである。毛細管又は錐体を有するフィルムは、錐体の頂点が吸収性コアに面して流体の通過を防ぐように配向することができる。毛細管又は錐体は、圧縮されると部分的に閉鎖するか又は完全に閉鎖するように、傾斜した形状を有することができる。
【００５６】
剥離紙
バックシート表面上にコーティングされた接着剤は、典型的に保護カバーを備え、保護カバーは使用前に取り外される。保護カバーは、シリコーンでコーティングされた剥離紙、プラスチックフィルム、又は他の容易に取り外し可能なカバーであってよい。保護カバーは、単一片であってもよく、あるいは、例えば個々の接着領域を覆うために、複数片であってもよい。また、保護カバーは、物品を個別にパッケージすること、又は使い捨ての機能を与えることなど、他の機能を実施することもできる。任意の市販の剥離紙又はフィルムが使用されてよい。好適な例には、アクロジル社（Akrosil Corporation）から入手可能なＢＬ  ３０  ＭＧ−Ａ  ＳＩＬＯＸ  ＥＩ／Ｏ、ＢＬ  ３０  ＭＧ−Ａ  ＳＩＬＯＸ  ４  Ｐ／Ｏ、及びドイツ国のグロナウ社（Gronau）からコードＸ−５４３２として入手可能なＭ＆Ｗフィルムが挙げられる。
【００５７】
製造方法
本発明の吸収性物品は、エンボス加工（例えば熱接着）又は接着又は両方の組み合わせなどの標準手段によって共に結合されてもよい、市販の標準的な物品に通常見られる、通常の層又は部材を有してもよく、物品は、従来手段により工業的に生産されてもよい。特に、圧縮領域は、従来の熱エンボスロールにより適用されてもよい。
【００５８】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【００５９】
任意の相互参照又は関連特許若しくは関連出願を包含する本明細書に引用される全ての文献は、明確に除外ないしは別の方法で限定されない限り、その全てを本明細書中に参照により組み込まれる。いずれの文献の引用も、こうした文献が本願で開示又は特許請求される全ての発明に対する先行技術であることを容認するものではなく、また、こうした文献は、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００６０】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
2015535470.tif 000003
【図２（ａ）】
2015535470.tif 000004
【図２（ｂ）】
2015535470.tif 000005
【図３】
2015535470.tif 000006
【図４】
2015535470.tif 000007
【国際調査報告】
2015535470.tif 000008
2015535470.tif 000009
2015535470.tif 000010
2015535470.tif 000011